(57)【要約】【課題】電動式移動棚装置に、リチウムイオン蓄電池または鉛蓄電池などの蓄電池内自動切替部を備えた蓄電池より成る補助電源を搭載し、商用電源の停電時に、自動的に前記補助電源に切替わる。【解決手段】複数の棚Ａ〜Ｅより成る電動式移動棚装置Ｔのいずれかの棚に、リチウムイオン蓄電池または鉛蓄電池などの蓄電池内自動切替部を備えた蓄電池より成る補助電源１０が設置され、商用電源からの送電ケーブル１１が前記補助電源１０の蓄電池内自動切替部１２と蓄電池内バッテリー１３とに並列接続され、且つ前記蓄電池内自動切替部１２は移動棚制御部１に接続されると共に、前記蓄電池内自動切替部１２と蓄電池内バッテリー１３とは接続・遮断可能に設置され、前記移動棚制御部１は移動棚構成電気部材１４に接続されて形成される。【選択図】図１
2014100212.tif 000002
【特許請求の範囲】
【請求項１】
複数の棚より成る電動式移動棚装置のいずれかの棚に、リチウムイオン蓄電池または鉛蓄電池などの蓄電池内自動切替部を備えた蓄電池より成る補助電源が搭載され、商用電源からの送電ケーブルが、前記補助電源の蓄電池内自動切替部と蓄電池内バッテリーとに並列接続され、且つ前記蓄電池内自動切替部は移動棚制御部に接続されると共に、前記蓄電池内自動切替部と蓄電池内バッテリーとは接続・遮断可能に設置され、前記移動棚制御部はコンピューター、タッチパネルディスプレイ装置、可逆モーターおよび照明部等より成る移動棚構成電気部材に接続されて形成され、前記商用電源からの電源が電動式移動棚装置へ供給されている場合は、前記蓄電池内自動切替部と前記蓄電池内バッテリーが遮断されて、前記蓄電池内バッテリーを常に充電する一方、前記商用電源からの電源が該蓄電池内自動切替部を介して前記移動棚制御部に供給され、また、商用電源が停電により、電動式移動棚装置への通電が遮断されると、前記蓄電池内自動切替部および蓄電池内バッテリーが商用電源とは遮断されると共に、該蓄電池内自動切替部が該蓄電池内バッテリー側へ自動的に切替わって接続され、前記電動式移動棚制御部へ前記蓄電池内バッテリーから電源が供給され、更に、前記商用電源からの電源供給が復旧したときは、前記蓄電池内自動切替部と該蓄電池内バッテリーとは自動的に遮断されると共に、前記商用電源と前記蓄電池内自動切替部および蓄電池内バッテリーとが自動的に接続され、且つ前記蓄電池内バッテリーが充電を再開するようにしたことを特徴とする電動式移動棚装置における補助電源装置。
【発明の詳細な説明】
【技術分野】
【０００１】
本発明は、電動式移動棚装置において、商用電源が停電したときに、自動的に、且つ直ちに、リチウムイオン蓄電池または鉛蓄電池などの蓄電池内自動切替部を備えた蓄電池より成る補助電源に切替わり、移動棚に収納された収納物の出納作業が遅滞なくできる電動式移動棚装置における補助電源装置に関するものである。
【背景技術】
【０００２】
現在、一般に図書館等で使用されている電動式移動棚装置は、その動力源となる電源としては、商用電源のみを使用しており、その停電時に迅速に対応できるような装置を備えていない。更に、停電時に対応できる装置を備えた先行技術の有無につき、特許文献を遡及検索したが、１件の先行特許文献の存在を認めることができなかった。
【発明の概要】
【発明が解決しようとする課題】
【０００３】
前記のように、従来は電動式移動棚装置において、商用電源の停電時に、移動棚を遅滞なく作動させる補助電源装置を備えてないので、電源復旧まで待機せざるを得ず、緊急の場合に対応できないという課題があった。
【０００４】
本発明は、前記課題を解決すべくなされたものであって、電動式移動棚装置に補助電源用のリチウムイオン蓄電池または鉛蓄電池などの蓄電池内自動切替部を備えた蓄電池より成る補助電源を搭載し、商用電源の停電時に、前記補助電源に自動的に切換り、電源の供給ができるようにした電動式移動棚装置における補助電源装置を提供しようとするものである。
【課題を解決するための手段】
【０００５】
本発明は、複数の棚より成る電動式移動棚装置のいずれかの棚に、リチウムイオン蓄電池または鉛蓄電池などの蓄電池内自動切替部を備えた蓄電池より成る補助電源が搭載され、商用電源からの送電ケーブルが、前記補助電源の蓄電池内自動切替部と蓄電池内バッテリーとに並列接続され、且つ前記蓄電池内自動切替部は移動棚制御部に接続されると共に、前記蓄電池内自動切替部と蓄電池内バッテリーとは接続・遮断可能に設置され、前記移動棚制御部はコンピューター、タッチパネルディスプレイ装置、可逆モーターおよび照明部等より成る移動棚構成電気部材に接続されて形成され、前記商用電源からの電源が電動式移動棚装置へ供給されている場合は、前記蓄電池内自動切替部と前記蓄電池内バッテリーが遮断されて、前記蓄電池内バッテリーを常に充電する一方、前記商用電源からの電源が該蓄電池内自動切替部を介して前記移動棚制御部に供給され、また、商用電源が停電により、電動式移動棚装置への通電が遮断されると、前記蓄電池内自動切替部および蓄電池内バッテリーが商用電源とは遮断されると共に、該蓄電池内自動切替部が該蓄電池内バッテリー側へ自動的に切替わって接続され、前記電動式移動棚制御部へ前記蓄電池内バッテリーから電源が供給され、更に、前記商用電源からの電源供給が復旧したときは、前記蓄電池内自動切替部と該蓄電池内バッテリーとは自動的に遮断されると共に、前記商用電源と前記蓄電池内自動切替部および蓄電池内バッテリーとが自動的に接続され、且つ前記蓄電池内バッテリーが充電を再開するようにするという手段を採用することにより、上記課題を解決した。
【発明の効果】
【０００６】
前記構成より成る本発明によれば、電動式移動棚装置にリチウムイオン蓄電池または鉛蓄電池などの蓄電池内自動切替部を備えた蓄電池より成る補助電源を搭載し、商用電源の停電時に、自動的に、且つ直ちに前記補助電源に切替わり、移動棚に収納された収納物の出納作業が遅滞なくできるのである。
【図面の簡単な説明】
【０００７】
【図１】本発明電動式移動棚装置における補助電源を備えた電動式移動棚装置の正面図である。
【図２】本発明電動式移動棚装置における補助電源装置において、商用電源が補助電源に接続されているときの作動状態の説明図である。
【図３】本発明電動式移動棚装置における補助電源装置において、商用電源が停電したときの作動状態の説明図である。
【実施例】
【０００８】
本発明の実施例を図面に基づいて詳細に説明する。本発明装置に使用する電動式移動棚装置は、特に限定する必要はないが、図１に示すような電動式移動棚装置を使用することが推奨される。すなわち、電動式移動棚装置Ｔは、複数の棚Ａ〜Ｅと、該棚Ａ〜Ｅのいずれかに、該各棚Ａ〜Ｅの移動を制御する移動棚制御部１、コンピューター２、入力操作部およびモニターを備えたタッチパネル式ディスプレイ装置３を設置（図１においては、棚Ａに設置されている）し、更に、前記各棚Ａ〜Ｅに自走用の可逆モーターＭ１〜Ｍ５、形成された作業用通路を照らす照明部４、および通路形成用の運転操作スイッチ５をそれぞれ備えて形成されている。
【０００９】
前記電動式移動棚装置１は、床上に敷設されたレールＲ上に棚Ａ〜Ｅがそれぞれ所定の配列方向に沿って配置されると共に、前記各棚Ａ〜Ｅが所定の配列方向に沿って前記レールＲ上を走行車輪Ｗを介して左右方向に移動可能に配置されている。
【００１０】
前記各棚Ａ〜Ｅのうち、両端の棚Ａ・Ｅは固定棚であってもよく、また壁面であってもよい。本発明の実施例においては、説明の都合上、すべての棚が移動棚として説明する。
【００１１】
前記各棚Ａ〜Ｅ間には、それぞれ相隣る棚間に通路６〜９が形成でき、図１においては、前記棚Ａ・Ｂ・Ｃをそれぞれ左側に移動させて密着すると共に、前記棚Ｄ・Ｅを右側に移動させて、通路８部分を最大限に広く開けて出庫作業用通路として、図書や資料等の出庫作業が円滑に行われるよう形成されている。
【００１２】
前記各棚Ａ〜Ｅの下部には、それぞれ自走用の可逆モーターＭ１〜Ｍ５が取付けられていて、それぞれ各棚Ａ〜Ｅの底部に軸装された走行車輪Ｗを回転させてレールＲ上を走行する。
【００１３】
また、図１に示すように、前記コンピューター２とタッチパネル式ディスプレイ装置３および移動棚制御部１とは互いにケーブル等により接続されると共に、前記各棚Ａ〜Ｅは前記移動棚制御部１とケーブル等により接続されている。
【００１４】
そして、前記構成より成る電動式移動棚装置Ｔの棚Ａ〜Ｅのいずれかの棚に、リチウムイオン蓄電池または鉛蓄電池などの蓄電池内自動切替部を備えた蓄電池より成る補助電源１０が搭載される（図１においては、棚Ａに搭載されている）と共に、前記商用電源からの送電ケーブル１１が前記補助電源１０の蓄電池内自動切替部１２と蓄電池内バッテリー１３に並列接続されると共に、前記蓄電池内自動切替部１２と蓄電池内バッテリー１３とは接続・遮断可能に設置され、且つ前記移動棚制御部１は、前記コンピューター２、タッチパネルディスプレイ装置３、可逆モーターＭ１〜Ｍ５および照明部４等より成る移動棚構成電気部材１４にそれぞれ電源を供給している。なお、前記棚Ａ〜Ｅのいずれかの棚の側板に設置（図１においては、棚Ａに設置されている）されているコンセント１５は、前記移動棚制御部１を介さず、前記蓄電池内自動切替部１２に直接接続されている。
【００１５】
前記のように、本発明装置において、商用電源からの送電ケーブル１１は、前記蓄電池内自動切替部１２および蓄電池内バッテリー１３に並列接続されており、前記商用電源からの電源が電動式移動棚装置Ｔへ供給されている場合は、図２に示すように、前記蓄電池内自動切替部１２と前記蓄電池内バッテリー１３が遮断される一方、前記商用電源は蓄電池内バッテリー１３に接続されて常に充電すると共に、該蓄電池内バッテリー１３からの電源ではなく、前記商用電源からの電源が該蓄電池内自動切替部１２を介して前記移動棚制御部１およびコンセント１５に供給される。
【００１６】
一方、商用電源が停電により、電動式移動棚装置Ｔへの通電が遮断されると、図３に示すように前記蓄電池内自動切替部１２および蓄電池内バッテリー１３が商用電源とは遮断されると共に、該蓄電池内自動切替部１２が該蓄電池内バッテリー１３側へ自動的に切替わって接続され、前記移動棚制御部１へ前記蓄電池内バッテリー１３から電源が供給されるよう形成されている。
【００１７】
そして、前記商用電源の停電が解除されて、再び商用電源の使用が可能となると、前記蓄電池内自動切替部１２と前記蓄電池内バッテリー１３とは自動的に遮断されると共に、前記電池内自動切替部１２が自動的に商用電源側へ切替わって、前記蓄電池内バッテリー１３も商用電源に自動的にと接続され、前記図２に示すような状態となり、前記電動式移動棚装置Ｔへの通電が再開されると共に、前記蓄電池内バッテリー１３は充電を再開する。
【符号の説明】
【００１８】
Ｔ  電動式移動棚装置
Ａ〜Ｅ  棚
Ｍ１〜Ｍ５  可逆モーター
Ｒ  レール
Ｗ  走行車輪
１  移動棚制御部
２、コンピューター
３  タッチパネル式ディスプレイ装置
４  照明部
５  運転操作スイッチ
６〜９  通路  
１０  補助電源
１１  送電ケーブル
１２  蓄電池内自動切替部
１３  蓄電池内バッテリー
１４  移動棚構成電気部材
１５  コンセント
【図１】
2014100212.tif 000003
【図２】
2014100212.tif 000004
【図３】
2014100212.tif 000005